(57)【要約】【課題】生ゴミの悪臭を異なる臭気に変調して、生ゴミの悪臭による害を容易に解決することができる生ゴミ用臭気変調剤、及び生ゴミの臭気変調方法を提供する。【解決手段】  エステル類、アルデヒド類、アルコール類、及びピラン類を含有することを特徴とする生ゴミ用臭気変調剤。【選択図】なし【特許請求の範囲】
【請求項１】
エステル類、アルデヒド類、アルコール類、及びピラン類を含有することを特徴とする生ゴミ用臭気変調剤。
【請求項２】
前記エステル類は、ヘキサン酸エステル、プロピオン酸エステル、オクタン酸エステル、酢酸エステル、酪酸エステル、イソ酪酸エステル及びアントラニル酸エステルからなる群より選択される少なくとも一種である、請求項１に記載の生ゴミ用臭気変調剤。
【請求項３】
前記エステル類の含有量は、生ゴミ用臭気変調剤を１００質量％として１８〜７５質量％である、請求項１又は２に記載の生ゴミ用臭気変調剤。
【請求項４】
前記アルデヒド類は、芳香族アルデヒド及び脂肪族アルデヒドから選択される少なくとも一種である、請求項１〜３のいずれかに記載の生ゴミ用臭気変調剤。
【請求項５】
前記アルデヒド類の含有量は、生ゴミ用臭気変調剤を１００質量％として０．１〜２５質量％である、請求項１〜４のいずれかに記載の生ゴミ用臭気変調剤。
【請求項６】
前記アルコール類は、脂肪族アルコール、モノテルペンアルコール及び芳香族アルコールからなる群より選択される少なくとも一種である、請求項１〜５のいずれかに記載の生ゴミ用臭気変調剤。
【請求項７】
前記アルコール類の含有量は、生ゴミ用臭気変調剤を１００質量％として０．１〜２５質量％である、請求項１〜６のいずれかに記載の生ゴミ用臭気変調剤。
【請求項８】
前記ピラン類は、エチルマルトール及びマルトールから選択される少なくとも一種である、請求項１〜７のいずれかに記載の生ゴミ用臭気変調剤。
【請求項９】
前記ピラン類の含有量は、生ゴミ用臭気変調剤を１００質量％として０．１〜１０質量％である、請求項１〜８のいずれかに記載の生ゴミ用臭気変調剤。
【請求項１０】
更に、ラクトン類を含有する、請求項１〜９のいずれかに記載の生ゴミ用臭気変調剤。
【請求項１１】
更に、ケトン類を含有する、請求項１〜１０のいずれかに記載の生ゴミ用臭気変調剤。
【請求項１２】
更に、天然香料を含有する、請求項１〜１１のいずれかに記載の生ゴミ用臭気変調剤。
【請求項１３】
ゴミ収集車内部で、収容した生ゴミに、エステル類、アルデヒド類、アルコール類、及びピラン類を含有する生ゴミ用臭気変調剤を散布する、ことを特徴とする生ゴミの臭気変調方法。
【発明の詳細な説明】
【技術分野】
【０００１】
本発明は、生ゴミ用臭気変調剤及び生ゴミの臭気変調方法に関する。
【背景技術】
【０００２】
従来、日常生活において家庭等から出るゴミは、ゴミ収集車により収集される。具体的には、街中において、ゴミの集積場所にゴミが出され、ゴミ収集車が集積場所に来て、作業員がゴミをゴミ収集車のゴミ投入口から投入して収集し、次の集積場所に移動する。また、収集後は、ゴミ収集車が街中を走行してゴミ処理場まで運搬し、ゴミ処理場において処理を行っている。
【０００３】
ゴミの中でも特に生ゴミは、悪臭を発生する。ゴミの集積場所において、出された生ゴミが悪臭を放つという問題がある。ゴミが回収された後においても生ゴミからでた液体が集積場所に漏れ、集積場所に悪臭が付着するという問題がある。
【０００４】
また、ゴミ収集車は、ゴミ投入口が開口したままのタイプのものもあり、ゴミの収集の際にゴミ収集車が街中を走行すると、悪臭が散布されるという問題がある。
【０００５】
悪臭の散布を抑制する手段として、脱臭装置が配設されたゴミ収集車が提案されている（例えば、特許文献１の請求項４参照）。
【０００６】
しかしながら、生ゴミの悪臭は消臭し難く、脱臭装置等の消臭手段や、消臭剤を用いても、十分に消臭できないという問題がある。
【０００７】
従って、生ゴミの悪臭による問題を解決できる手段の開発が求められている。
【先行技術文献】
【特許文献】
【０００８】
【特許文献１】特開２００１−８０７０７号公報
【発明の概要】
【発明が解決しようとする課題】
【０００９】
本発明は、生ゴミの悪臭を異なる臭気に変調して、生ゴミの悪臭による害を容易に解決することができる生ゴミ用臭気変調剤、及び生ゴミの臭気変調方法を提供することを目的とする。
【課題を解決するための手段】
【００１０】
本発明者は、鋭意研究を重ねた結果、生ゴミの悪臭を、異なる臭気に変調して他の不快でない臭いに感じさせる生ゴミ用臭気変調剤によれば、生ゴミの悪臭による不快感を十分に低減することができることを見出した。また、本発明者は、特定の成分を含有する生ゴミ用臭気変調剤をゴミ収集車内部で、収容した生ゴミに散布することで、ゴミ収集車で発生する生ごみの悪臭を他の臭いに変調することができ、不快感を容易に低減でき、上記目的を達成することができることを見出し、本発明を完成するに至った。
【００１１】
即ち、本発明は、下記の生ゴミ用臭気変調剤及び生ゴミの臭気変調方法に関する。
１．エステル類、アルデヒド類、アルコール類、及びピラン類を含有することを特徴とする生ゴミ用臭気変調剤。
２．前記エステル類は、ヘキサン酸エステル、プロピオン酸エステル、オクタン酸エステル、酢酸エステル、酪酸エステル、イソ酪酸エステル及びアントラニル酸エステルからなる群より選択される少なくとも一種である、項１に記載の生ゴミ用臭気変調剤。
３．前記エステル類の含有量は、生ゴミ用臭気変調剤を１００質量％として１８〜７５質量％である、項１又は２に記載の生ゴミ用臭気変調剤。
４．前記アルデヒド類は、芳香族アルデヒド及び脂肪族アルデヒドから選択される少なくとも一種である、項１〜３のいずれかに記載の生ゴミ用臭気変調剤。
５．前記アルデヒド類の含有量は、生ゴミ用臭気変調剤を１００質量％として０．１〜２５質量％である、項１〜４のいずれかに記載の生ゴミ用臭気変調剤。
６．前記アルコール類は、脂肪族アルコール、モノテルペンアルコール及び芳香族アルコールからなる群より選択される少なくとも一種である、項１〜５のいずれかに記載の生ゴミ用臭気変調剤。
７．前記アルコール類の含有量は、生ゴミ用臭気変調剤を１００質量％として０．１〜２５質量％である、項１〜６のいずれかに記載の生ゴミ用臭気変調剤。
８．前記ピラン類は、エチルマルトール及びマルトールから選択される少なくとも一種である、項１〜７のいずれかに記載の生ゴミ用臭気変調剤。
９．前記ピラン類の含有量は、生ゴミ用臭気変調剤を１００質量％として０．１〜１０質量％である、項１〜８のいずれかに記載の生ゴミ用臭気変調剤。
１０．更に、ラクトン類を含有する、項１〜９のいずれかに記載の生ゴミ用臭気変調剤。
１１．更に、ケトン類を含有する、項１〜１０のいずれかに記載の生ゴミ用臭気変調剤。
１２．更に、天然香料を含有する、項１〜１１のいずれかに記載の生ゴミ用臭気変調剤。
１３．ゴミ収集車内部で、収容した生ゴミに、エステル類、アルデヒド類、アルコール類、及びピラン類を含有する生ゴミ用臭気変調剤を散布する、ことを特徴とする生ゴミの臭気変調方法。
【発明の効果】
【００１２】
本発明の生ゴミ用臭気変調剤によれば、生ゴミの悪臭を、異なる臭気に変調して他の不快でない臭いに感じさせるように変調することができ、生ゴミの悪臭による不快感を低減することができる。また、本発明の生ゴミの臭気変調方法によれば、特定の成分を含有する生ゴミ用臭気変調剤をゴミ収集車内部で、収容した生ゴミに散布することで、ゴミ収集車で発生する生ゴミの悪臭を不快でない臭いに感じさせるように変調することができ、生ゴミの悪臭による不快感を容易に低減することができる。
【発明を実施するための形態】
【００１３】
以下、本発明の生ゴミ用臭気変調剤及び生ゴミの臭気変調方法について詳細に説明する。
【００１４】
１．生ゴミ用臭気変調剤
本発明の生ゴミ用臭気変調剤は、エステル類、アルデヒド類、アルコール類、及びピラン類を含有する。
【００１５】
（エステル類）
エステル類は、分子中にエステル結合を有する化合物であれば特に限定されない。エステル類としては、例えば、ヘキサン酸エステル、プロピオン酸エステル、オクタン酸エステル、酢酸エステル、酪酸エステル、イソ酪酸エステル、アントラニル酸エステル、蟻酸エステル、ペンタン酸エステル、ヘプタン酸エステル等が挙げられる。これらの中でも、ヘキサン酸エステル、プロピオン酸エステル、酢酸エステルが好ましい。また、上記エステル類としては、具体的には、アリルヘキサノエート、アリルシクロヘキシルプロピオネート、ｃｉｓ−３−ヘキセニルアセテートを好適に用いることができる。
【００１６】
上記エステル類は、一種単独で用いてもよいし、二種以上を混合して用いてもよい。
【００１７】
エステル類の含有量は、生ゴミ用臭気変調剤を１００質量％として１８〜７５質量％が好ましく、４０〜６０質量％がより好ましく、４０〜５０質量％が更に好ましい。エステル類の含有量を上記範囲とすることにより、生ゴミの悪臭を、異なる臭気に変調して他の不快でない臭いに感じさせるように、より十分に変調することができ、生ゴミの悪臭による不快感をより十分に低減することができる。
【００１８】
（アルデヒド類）
アルデヒド類は、分子中にアルデヒド基を有する化合物であれば特に限定されない。アルデヒド類としては、例えば、芳香族アルデヒド、脂肪族アルデヒド等を好適に用いることができる。上記脂肪族アルデヒドとしては、ジメチル−３−シクロヘキセニルカルバルデヒドが挙げられる。上記アルデヒド類としては、ジメチル−３−シクロヘキセニルカルバルデヒドがより好ましい。
【００１９】
上記アルデヒド類は、一種単独で用いてもよいし、二種以上を混合して用いてもよい。
【００２０】
アルデヒド類の含有量は、生ゴミ用臭気変調剤を１００質量％として０．１〜２５質量％が好ましく、０．１〜１５質量％がより好ましく、１〜１０質量％が更に好ましい。アルデヒド類の含有量を上記範囲とすることにより、生ゴミの悪臭を、異なる臭気に変調して他の不快でない臭いに感じさせるように、より十分に変調することができ、生ゴミの悪臭による不快感をより十分に低減することができる。
【００２１】
（アルコール類）
アルコール類としては特に限定されず、例えば、脂肪族アルコール、モノテルペンアルコール、芳香族アルコール等が挙げられる。上記脂肪族アルコールとしては、ｃｉｓ−３−ヘキセノールが挙げられる上記アルコール類としては、ｃｉｓ−３−ヘキセノールがより好ましい。
【００２２】
上記アルコール類は、一種単独で用いてもよいし、二種以上を混合して用いてもよい。
【００２３】
アルコール類の含有量は、生ゴミ用臭気変調剤を１００質量％として０．１〜２５質量％が好ましく、１〜１５質量％がより好ましく、５〜１０質量％が更に好ましい。アルデヒド類の含有量を上記範囲とすることにより、生ゴミの悪臭を、異なる臭気に変調して他の不快でない臭いに感じさせるように、より十分に変調することができ、生ゴミの悪臭による不快感をより十分に低減することができる。
【００２４】
（ピラン類）
ピラン類は、含酸素複素環式化合物であり、５個の炭素原子と１個の酸素原子により形成される６員環のエーテル化合物を骨格とするピラン骨格を有しており、上記ラクトン類以外の化合物であれば特に限定されない。ピラン類としては、例えば、マルトール、エチルマルトール、その他のピラン骨格を有するピラン化合物が挙げられる。これらの中でも、マルトール、エチルマルトールが好ましい。
【００２５】
上記ピラン類は、一種単独で用いてもよいし、二種以上を混合して用いてもよい。
【００２６】
ピラン類の含有量は、生ゴミ用臭気変調剤を１００質量％として０．１〜１０質量％が好ましく、０．１〜５質量％がより好ましく、１〜５質量％が更に好ましい。ピラン類の含有量を上記範囲とすることにより、生ゴミの悪臭を、異なる臭気に変調して他の不快でない臭いに感じさせるように、より十分に変調することができ、生ゴミの悪臭による不快感をより十分に低減することができる。
【００２７】
（ラクトン類）
本発明の生ゴミ用臭気変調剤は、ラクトン類を含有することが好ましい。ラクトン類は、同一分子内のヒドロキシル基とカルボキシル基とが脱水縮合して生成する環状エステルであれば特に限定されない。ラクトン類としては、例えば、γ−デカラクトン、γ−ウンデカラクトン、γ−ノナラクトン、γ-ブチロラクトン、δ-ノナラクトン、δ-ウンデカラクトン、δ-デカラクトン、δ-ドデカラクトン、γ-ドデカラクトン、γ-ヘプタラクトン、ε-デカラクトン、ε-ドデカラクトン、δ-ヘプタラクトン、δ-ヘキサデカラクトン、δ-ヘキサラクトン、γ-ヘキサラクトン、δ-オクタデカラクトン、δ-オクタラクトン、γ-オクタラクトン、δ-テトラデカラクトン、δ-トリデカラクトン、δ-バレロラクトン、γ-バレロラクトン等が挙げられる。これらの中でも、γ−デカラクトン、γ−ウンデカラクトンが好ましい。
【００２８】
上記ラクトン類は、一種単独で用いてもよいし、二種以上を混合して用いてもよい。
【００２９】
ラクトン類の含有量は、生ゴミ用臭気変調剤を１００質量％として０．１〜２５質量％が好ましく、１〜１０質量％がより好ましく、１〜５質量％が更に好ましい。ラクトン類の含有量を上記範囲とすることにより、生ゴミの悪臭を、異なる臭気に変調して他の不快でない臭いに感じさせるように、より十分に変調することができ、生ゴミの悪臭による不快感をより十分に低減することができる。
【００３０】
（ケトン類）
本発明の生ゴミ用臭気変調剤は、ケトン類を含有することが好ましい。ケトン類は、分子中にアルデヒド基を有する化合物であれば特に限定されない。ケトン類としては、例えば、テルペンケトン、脂肪族ケトン、芳香族ケトン等が挙げられる。これらの中でも、テルペンケトンが好ましい。
【００３１】
上記ケトン類は、一種単独で用いてもよいし、二種以上を混合して用いてもよい。
【００３２】
ケトン類の含有量は、生ゴミ用臭気変調剤を１００質量％として０．１〜２５質量％が好ましく、０．１〜１０質量％がより好ましく、０．１〜５質量％が更に好ましい。ケトン類の含有量を上記範囲とすることにより、生ゴミの悪臭を、異なる臭気に変調して他の不快でない臭いに感じさせるように、より十分に変調することができ、生ゴミの悪臭による不快感をより十分に低減することができる。
【００３３】
（天然香料）
本発明の生ゴミ用臭気変調剤は、天然香料を含有することが好ましい。天然香料は、天然物から抽出される香料であれば特に限定されない。天然香料は、精油、コールドプレスオイル、エキス、エッセンス等の形態で使用することができる。
【００３４】
上記天然香料は、一種単独で用いてもよいし、二種以上を混合して用いてもよい。
【００３５】
天然香料の含有量は、生ゴミ用臭気変調剤を１００質量％として０．１〜２５質量％が好ましく、１〜１０質量％がより好ましく、１〜５質量％が更に好ましい。天然香料の含有量を上記範囲とすることにより、生ゴミの悪臭を、異なる臭気に変調して他の不快でない臭いに感じさせるように、より十分に変調することができ、生ゴミの悪臭による不快感をより十分に低減することができる。
【００３６】
（溶媒）
本発明の生ゴミ用臭気変調剤において、上記各成分は、溶媒中に分散していることが好ましい。各成分が溶媒中に分散していることにより、生ゴミ用臭気変調剤中に各成分が均一に分散することができ、本発明の生ゴミ用臭気変調剤が液安定性に優れ、臭気変調効果をより効果的に発揮することができる。また、上記各成分が溶媒中に分散していることにより、ゴミの集積場所に本発明の生ゴミ用変調剤を容易に散布することができ、ゴミ収集車内部で、収容した生ゴミに散布することで、ゴミ収集車で発生する生ゴミの悪臭を他の臭いに変調することができ、不快感を容易に低減することができる。
【００３７】
溶媒としては水、溶剤を用いることができるが、各成分との相溶性に優れる点で、溶剤が好ましい。溶剤としては、上記各成分以外の溶剤であれば特に限定されず、アルコール等を用いることができる。上記アルコールとしては特に限定されず、モノアルコール、又は、ジオール、トリオール等のポリオールが挙げられる。また、上記アルコールとしては、炭素数２〜４のアルコールを好適に用いることができる。上記アルコールの炭素数は、２〜３がより好ましい。
【００３８】
上記溶媒の具体例としては、例えば、ジプロピレングリコール、２−（２エトキシエトキシ）エタノール、ベンジルベンソエート、プロピレングリコール、トリアセチン、１,３−ブチレングリコール、エタノール、クエン酸トリエチル等が挙げられ、上記各成分との相溶性に優れ、有害性が低い点で、ジプロピレングリコール、２−（２エトキシエトキシ）エタノール、ベンジルベンソエートが好ましい。
【００３９】
上記溶媒は、一種単独で用いてもよいし、二種以上を混合して用いてもよい。
【００４０】
溶媒の含有量は、生ゴミ用臭気変調剤を１００質量％として１〜６０質量％が好ましく、２０〜４０質量％がより好ましい。溶媒の含有量を上記範囲とすることにより、生ゴミ用臭気変調剤中に各成分が均一に分散することができ、生ゴミ用臭気変調剤が液安定性に優れ、臭気変調効果をより効果的に発揮することができる。また、溶媒の含有量を上記範囲とすることにより、ゴミの集積場所に本発明の生ゴミ用変調剤を容易に散布することができ、ゴミ収集車内部で、収容した生ゴミに散布することで、ゴミ収集車で発生する生ゴミの悪臭を他の臭いに変調することができ、不快感を容易に低減することができる。
【００４１】
本発明の生ゴミ用臭気変調剤は、生ゴミの悪臭が発生する場所であれば有用に用いることができ、例えば、家庭等において生ゴミ自体に散布してもよいし、ゴミの集積所においてゴミの袋に散布してもよく、ゴミを収集する前後のゴミ集積所に散布してもよく、ゴミ収集車内部で収容した生ゴミに散布してもよく、ゴミ処理場において散布してもよい。散布方法としては特に限定されず、スプレーによる散布や、生ゴミ用臭気変調剤を滴下する方法等、従来公知の方法により散布することができる。
【００４２】
２．生ゴミの臭気変調方法
本発明は、また、ゴミ収集車内部で、収容した生ゴミに、エステル類、アルデヒド類、アルコール類、及びピラン類を含有する生ゴミ用臭気変調剤を散布する、ことを特徴とする生ゴミの臭気変調方法でもある。
【００４３】
本発明の生ゴミの臭気変調方法において散布する生ゴミ用臭気変調剤は、上述の生ゴミ用臭気変調剤を用いることができる。
【００４４】
上記散布方法としては、生ゴミ用臭気変調剤を散布できれば特に限定されず、ゴミ収集車のゴミ投入口の天井部分に設置されたノズルや、孔の空いた配管から生ゴミ用臭気変調剤を散布する方法、ゴミ収集車のゴミ収容槽の天井部分に設置されたノズルや、孔の空いた配管から生ゴミ用臭気変調剤を散布する方法等の散布方法が挙げられる。ゴミ投入口の天井部分から散布した場合、ゴミ投入口の下部に設けられた、生ゴミから出る汚水を溜めておく汚水タンク内の汚水に生ゴミ用臭気変調剤が混入することとなり、より効果的に生ゴミの悪臭を低減することができる点で好ましい。
【００４５】
散布の際の生ゴミ用臭気変調剤の温度は特に限定されず、１０〜２５℃が好ましく、１５〜２０℃がより好ましい。上記温度範囲で臭気変調剤を噴霧することにより、生ゴミ用臭気変調剤が、臭気変調効果をより効果的に発揮することができる。
【実施例】
【００４６】
以下に実施例を示して本発明を具体的に説明する。但し、本発明は実施例に限定されない。
【００４７】
（生ゴミ用臭気変調剤の調製）
表１に示す配合の原料を、混合槽に投入して混合、撹拌し、生ゴミ用臭気変調剤を調製した。具体的には、加熱装置を備えた混合槽に、表１に示す配合により溶剤を投入し、次いで他の原料を順次添加して、２０℃の条件下で３０分間撹拌して、実施例１の生ゴミ用臭気変調剤を調製した。
【００４８】
（評価）
上記のようにして調製した実施例１の生ゴミ用臭気変調剤を用いて、以下の評価を行った。すなわち、菌検査用滅菌シャーレにろ紙を敷き、ゴミ収集車の汚水タンクに溜まった汚水をろ紙の真ん中に１ｇ滴下した。次いで、上記のようにして調製した実施例１の生ゴミ用臭気変調剤を用い、当該実施例１の生ゴミ用臭気変調剤の０．１質量％エタノール溶液を調製した。次いで、滴下した汚水の周りに、このエタノール溶液を０．１ｇ滴下して、試料を調製した。汚水は、表１に示すように、広島６ヶ所、及び大阪３ヶ所において採取した汚水を用いた。
【００４９】
次いで、試料にシャーレで蓋をして、室温下（２０℃）で１０分間静置した。静置後蓋を開けて、被験者がシャーレの中央の上１０ｃｍから臭いを嗅ぎ、下記評価基準に従って官能評価を行った。被験者５人で上記試験を行い、評価値の平均を四捨五入して得られた値により評価した。
【００５０】
５：生ゴミ臭を全く感じず、非常によい匂いだと感じた
４：生ゴミ臭を殆ど感じず、よい匂いだと感じた
３：生ゴミ臭を若干感じたが、不快でないと感じた
２：生ゴミ臭を感じ、よい匂いだと感じなかった
１：生ゴミ臭を強く感じ、不快な臭いだと感じた
【００５１】
結果を表１に示す。
【００５２】
【表１】
2018094073.tif 000002